(57)【要約】【課題】光源より発せられる光のまぶしさを軽減しつつ、雰囲気のあるリング形状部を主体とした照明器具の製作ならびに、より効率的な制作方法。【解決手段】上記のまぶしさを軽減しつつ、雰囲気のある照明とするために、スリット（３）に面するリング形状部（１）の側面（１１）が光学的反射面を有するものとした。また、製造においては、各々のリング形状のものを保持部にかみ合わせたり、溶接することなく、▲１▼筒形の形状にあらかじめリング保持部となる部位を設けておく。▲２▼次に筒形の形状にスリットを設ける加工を施し、リング保持部で繋げられた各リング形状部を作成する。以上の▲１▼▲２▼の工程を用いることにより、効率的な制作方法が可能となる。【選択図】　　図１
2004095488.tif 000002
【特許請求の範囲】
【請求項１】
リング形状部を主体とした照明器具において、スリットに面したリング形状部の側面部が光学的反射面を有することを特徴とした照明器具
【請求項２】
各リング形状部を繋ぐリング保持部がリング形状部と一体成型で構成されていることを特徴とした請求項１の照明器具
【請求項３】
リング形状部とリング保持部の主な材質が金属であることを特徴とした請求項１または２の照明器具
【請求項４】
請求項３におけるリング形状部とリング保持部の金属が銅合金である請求項３の照明器具
【請求項５】
リング形状部を主体とした照明器具において、その製造工程が、▲１▼筒型の形状（５）にあらかじめリング保持部となる部位を設けておく。
▲２▼次に筒型の形状（５）にスリット（３）を設ける加工を施し、リング保持部で繋げられた各リング形状部（１）を作成する。
以上の▲１▼▲２▼の工程を特徴とする照明器具の製造方法。
【請求項６】
請求項５の製造方法を特徴とした照明器具
【請求項７】
請求項５の製造方法を特徴とした請求項１、２、３または請求項４の照明器具
【発明の詳細な説明】
【０００１】
【発明の属する技術分野】
本発明は、リング形状部を主体とした照明器具ならびその製造方法に関するものである。
【０００２】
【従来の技術】
リング形状部を主体とした照明器具とはリングの形状をしたリング形状部の部位複数より構成されてなる照明器具のことである。リング形状部とは閉じられた環、すなわちリング形状なる部位を示すものである。
従来のリング形状部を主体とした照明器具は、かご形状のものや、あるいは、球技に用いられるボールなどから光源を守るための防護用に金属棒などで囲った照明器具があった。
【０００３】
しかしながら、直接的光源の照明光が主体となり、蝋燭などの光度の低いもの以外は、まぶしく感じられる。そのために使う用途が限られていた。一般の照明器具は、和紙や紙、プラスチックなどで覆い、光をやわらかく分散させたり、あるいは、壁や天井に一度反射させて間接的照明としてよく利用される。このような方法をとるのは、まぶしさを軽減し、ムードのある照らしかたを求めるためである。覆いを必要としないリング形状部を主体とする照明器具は、ムードのある照明器具としてはあまりもちいられなかった。
【０００４】
また、従来のリング形状部を主体とした照明器具はそのリング形状部を保持するための接続に必要な接続部を別に用意して、噛み合せたり、溶接したりする副次的作業の必要があった。
【０００５】
【発明が解決しようとする課題】
光源より発せられる光のまぶしさを軽減しつつ、雰囲気のあるリング形状部を主体とした照明器具の製作ならびに、より効率的な製造方法が求められていた。
【０００６】
【課題を解決するための手段】
上記のまぶしさを軽減しつつ、雰囲気のある照明とするために、スリット（３）に面するリング形状部（１）の側面部（１１）が光学的反射面を有するものとした。
【０００７】
また、製作においては、各々のリング形状のリング形状部をリング保持部にかみ合わせたり、溶接することなく、
▲１▼筒型の形状（５）にあらかじめリング保持部（２）となる部位を設けておく。
▲２▼次に筒型の形状（５）にスリット（３）を設ける加工を施し、リング保持部（２）で繋げられた各リング形状部（１）を作成する。
以上の▲１▼▲２▼の工程を用いることにより、効率的な製造方法が可能となる。
【０００８】
【発明の実施の形態】
一例として、図４，５，６，７に本発明のリング形状部を主体とした照明器具を図面として展開した。
図４は正面図、図５は平面図、図６は底面図、図７は右側面図である。この場合、左側面図は右側面図と対称に表れる。図３はその斜視イメージをフリーハンドで描いた説明図である。
このとき、リング形状部と接するリング保持部とを部分拡大して、正面図として表したものが、図１である。理解を助けるために、このときの斜視図をフリーハンドで描いた説明図が図２である。（図２ではリング形状部の側面部（１１）は一面のみ、表示されているが、当然裏面もリング形状部の側面を有する。）
図１のようにスリット（３）に面するリング形状部（１）の側面部（１１）に光学的反射面を有することで、光が直接的に目に飛び込む視覚的位置が制限される。光はある程度の指向性を持つが、全体的にばらばらに反射され、まぶしさを軽減する。図１１はそのときの光の行路を断面図で示した説明図である。又、正面と裏面とのスリットによるモアレ模様が照明の美しさをきわだたせる。
【０００９】
図８は製造における工程をしめす説明図で、断面図と平面図を併記してある。製造においては、図８の説明図に示されるように、筒型の形状（３）にリング保持部（２）を形成させておき、旋盤加工等を施し、スリット（３）を形成させて、各リング形状部（１）を形成させる。これにより、一体成型された、リング形状部（１）を主体とした照明器具が簡便に作成できる。
【００１０】
このとき、旋盤加工時のバイト（６）を利用した加工方法を説明する。ひとつのスリット（３）作成の工程を図９で説明図として示している。図９は、バイト（６）を利用し、スリット（３）を作成しながら、リング形状部（１）を作成している工程を断面図と右側面図で示している。ａ，ｂ，ｃと順にバイトが中心部に向かって進み、切削加工を行い、リング形状部（１）を作り出して、リング接続部まで、到達すると、加工をやめる。この工程を位置変えして、繰り返し実行する。この加工方法で全体的な製造を行う。
図１０ではその連続加工工程がａ、ｂ、ｃと順に断面図と右側面図で示してある。（図１０では、簡便な説明のため、あらかじめリング接続部と筒型の形状とを区別して断面図として表されている。（図８では区別はしていない。））
図８、図９、図１０のいずれもリング保持部（２）が二つである例である。説明しやすくするため、全ての断面図にリング保持部（２）が現れるような位置で示してある。
【００１１】
リング形状部（１）とつながれるリング保持部（２）を一体成型して、作っておくことは、後述する理由により、好ましい。
【００１２】
またそのリング形状部（１）とリング保持部（２）の主な材質はセラミックや樹脂などであっても良いが、できれば、金属であることはより好ましい。もちろん、主な材質が金属であろうとなかろうと、当該発明に関するスリット（３）に面したリング形状部（１）の側面部（１１）に反射面を持つために、鍍金や塗装を施しても、差し支えがない。
【００１３】
それと、特殊な用途や安全性のために、各リング形状からなる筒型状方向の端部を開放せずに蓋（４）や光源支持台（９）により、閉鎖的空間を確保する形状であっても良い。蓋（４）を蓋（４）として別途作成して、後で付帯させても良いが、リング形状部（１）とリング保持部（２）が一体成型されるさいに、同様に一体成型することもできる。まとめて成型してから、加工する方法のほうがシンプルな工程で済ますことができる。
【００１４】
そして、そのリング形状部（１）とリング保持部（２）とが特に銅合金であることは、後述する優位性を持つ。
【００１５】
付け加えると、リング保持部（２）は今回図示したような支柱形状のものがシンプルでよいが、意匠を施したものであっても良い。今回図示したものはリング保持部（２）が２や３からなる支柱形状のものであるが、リング保持部（２）の数に限定はない。１以上複数であればよい。また、特に意匠的なものにおいては、ひとつのリング保持部（２）が全てのリング形状部（１）につながっている必要はなく、たとえば枯葉や松葉、花や鳥などをかたどったリング形状保持部（２）が複数で補完的に、全体として、全てのリング形状部（１）を保持していれば良い。
意匠を施したものは、季節感や場にあった多彩な表現が可能となり、表現の幅が広がる。
リング保持部（２）は内部に施すほうが、加工が楽ではあるが、外部に施しても良い。その場合には加工を内側から行い、外部に施されたリング保持部（２）に加工があまり及ばないようにすると良い。
【００１６】
用語の定義について。
「光学的反射面を有する」とは、本出願に関しては、紙などの光を乱反射するような面を指さない。金属面に多く見られるように、ほぼ平滑な面に鏡のように反射する成分を多く有する面を言う。たとえば太陽光線のような平行光線を反射させた場合に、反射光が反射面の垂直方向に対称に反射する成分が割合的に多く残っている状態の反射面を指す。もちろん、反射光が鏡のように、ほぼ完全に反射する必要性はなく、乱反射の成分を含んでも構わない。イメージ的には光の映りこみが見られるような金属面をここでは称している。逆に完璧な鏡面であっても、なんら問題はない。
【００１７】
「リング形状部」とはほぼリング形状をなす、閉じられた輪、リングを示す。形状として完全な円である必要性はない。四角形や星形状であっても良い。リング保持部（２）の箇所を工夫することで、請求項５で明示されている製造方法を利用して作成することも十分可能である。もちろん、円に近いほど、加工は楽である。
【００１８】
【実施例】
実施例１
筒型の形状（５）にリング保持部（２）三か所を事前に付帯させた銅合金（Ｃｕ：６０〜７０％、Ｚｎ：残部）鋳物を作成。
次に筒型の形状（５）にＮＣ旋盤で、回転加工により、スリット（３）を形成させる。（図８（ｂ）参照）
このときリング保持部（２）が加工位置より、内側に存在するため、スリット部加工時にリング保持部（２）を切断しないように、工夫できる。（図９でスリット作成の工程を図示してあります。）
このスリット（３）を作成する切削に突っ切り用のバイト（６）などを用いることにより、スリット（３）を形成する際に、スリット（３）に面したリング形状部（１）の側部（１１）が光学的反射面を有することができる。
作成されたリング形状部（１）を主体とした照明器具のほぼ中央部に光源（４０Ｗ）を設置。図１３はこのときのイメージをフリーハンドで描いた説明図である。図１３の説明図では、光源とともに、光源支持台（９）とそれに付随した光源用電線（９１）と蓋（４）が付帯して、表示されている。
照明器具のスリット（３）より、多くの光がリング形状部（１）の側面部（１１）に反射して、光源（７）より放出される。図１１は、このときの光の行路を示す説明図である。（この図１１の矢印は光の行路を示すものである。）
これにより、当該発明の目的としたまぶしさの軽減を可能とし、上記加工方法を用いた製造方法により、簡便に目的の照明器具を得ることができる。
【００１９】
【発明の効果】
光源（７）の光がスリットに面するリング形状部（１）の側面部（１１）の反射面によって、反射されることにより、まぶしさを軽減できるとともに、独特の照明効果が得られ、美的効果を得る。
ここで、この独特の光の照明効果を図１２をもちいて説明する。
図１２はある程度は集光性を有する光の行路を選んで図式化したものである。図１２は断面図で表され、簡便のために、照明器具の片面のみ表示してある。光は矢印で表現されている。図でわかるように、その集光性が光源（７）に対して、（筒型状に対して）ほぼ等距離に集光性を有する。よって、全体としては、適度な集光性を持ちつつ、ばらついた光を発する照明器具となる。この特殊な光学的反射効果を持つことで、前記の独特な照明効果を得ることができ、ムードのある美的効果を高めることができる。
【００２０】
光源（７）が外から見た場合に照明器具の筒型状の沿った方向に伸びて見える。これにより、安全灯として使用した場合に、暗闇の中で、安全灯の所在位置が把握しやすく、便利である。
【００２１】
スリット（３）により、リング形状（１）を主体とした筒型状の照明器具の内と外との空気の流通が行われ、過熱による弊害を防ぐことができる。又、蝋燭などの可燃性の光源であった場合でも、空気の対流がスムーズに行われ、酸素欠乏により、明かりが消えることがない。
【００２２】
スリット（３）の間隔を狭くして利用した場合には、坑道等に利用される爆発を防ぐために光源に利用される十分細かい金属網と同等の効果が得られる。思わぬ可燃性ガスの発生においても、安全に点灯し得る。
【００２３】
リング形状部（１）を保持するリング保持部（２）がリング形状部（１）と一体成型されていることにより、リング形状部（１）をリング形状保持部（２）に繋ぎ止める必要がなく、簡便である。またその利便性として、同素材であるために、リサイクル時に解体に関する手間も軽減できる。もちろん、強度的にも安定であり、使用に際して、他の方式に見られるような、接続部が緩んだりすることはない。
【００２４】
加えて、リング形状部（１）とリング保持部（２）の主の材質が金属である場合は靱性に優れ、過度な衝撃においても壊れにくく、光源を保護する目的に利用価値が高い。
【００２５】
特に銅合金などの伝導性の高い金属においては、光源からの熱放射による熱を受け止めつつ、スムーズに外気に放出する。このため、熱による素地の劣化や、熱がこもることによる火事などの不具合を未然に防ぐことができる。もちろん、いざ、火災になった場合においても、金属は燃焼することはなく、加えて、銅合金はある程度高い温度でも強度を保っているので、可燃物が光源であっても、火災などの災害の拡大には寄与しない。
【００２６】
また、銅には銅イオンによる殺菌作用が広く知られている。この作用により、清潔さを必要とする病院などはいうに及ばず、一般家庭などでも、清潔な環境を保持するのに適している。
【図面の簡単な説明】
【図１】本発明のリング形状部とリング保持部を部分拡大した正面図
【図２】図１の部分拡大部を斜視でイメージした説明図
【図３】本発明の斜視図をイメージした説明図
【図４】本発明の正面図
【図５】本発明の平面図
【図６】本発明の底面図
【図７】本発明の右側面図
【図８】本発明の工程を示した説明図
【図９】本発明の工程を示した説明図
【図１０】本発明の工程を示した説明図
【図１１】光の行路を示した断面図
【図１２】集光性を説明するための断面図
【図１３】本発明に光源と光源支持台、光源用電線を付帯させたフリーハンド図
【符号の説明】
１　リング形状部
１１　リング形状部の側面部
２　リング保持部
３　スリット
４　蓋
５　筒型の形状
６　バイト
７　光源
９　光源支持台
９１　光源用電線
【図１】
2004095488.tif 000003
【図２】
2004095488.tif 000004
【図３】
2004095488.tif 000005
【図４】
2004095488.tif 000006
【図５】
2004095488.tif 000007
【図６】
2004095488.tif 000008
【図７】
2004095488.tif 000009
【図８】
2004095488.tif 000010
【図９】
2004095488.tif 000011
【図１０】
2004095488.tif 000012
【図１１】
2004095488.tif 000013
【図１２】
2004095488.tif 000014
【図１３】
2004095488.tif 000015